(57)【要約】【目的】簡単な操作で周辺機器と通信を行うことを可能とした情報処理システムを提供すること。【構成】情報処理装置に複数の周辺装置が接続可能な情報処理システムとして、情報処理装置は、アプリケーション実行手段と、通信プロトコル実行手段と、ＡＰＩ（Ａｐｐｌｉｃａｔｉｏｎ  Ｐｒｏｇｒａｍ    Ｉｎｔｅｒｆａｃｅ）制御手段を有し、該アプリケーション実行手段は、アプリケーションソフトの起動及び終了時にＡＰＩ制御部に要求を通知し、該ＡＰＩ制御手段は、アプリケーション実行手段からの要求を受けると周辺装置との通信のためのコマンドを通信プロトコル実行部に発行し、通信確立後に該ＡＰＩ制御手段はアプリケーションソフトの動作のためのコマンドを当該周辺装置に発行する。【選択図】      図１
2004157851.tif 000002
【特許請求の範囲】
【請求項１】
情報処理装置に複数の周辺装置が接続可能な情報処理システムであって、情報処理装置は、アプリケーション実行手段と、通信プロトコル実行手段と、ＡＰＩ（Ａｐｐｌｉｃａｔｉｏｎ  Ｐｒｏｇｒａｍ  Ｉｎｔｅｒｆａｃｅ）制御手段を有し、該アプリケーション実行手段は、アプリケーションソフトの起動及び終了時にＡＰＩ制御部に要求を通知し、該ＡＰＩ制御手段は、アプリケーション実行手段からの要求を受けると周辺装置との通信のためのコマンドを通信プロトコル実行部に発行し、通信確立後に該ＡＰＩ制御手段はアプリケーションソフトの動作のためのコマンドを当該周辺装置に発行することを特徴とする情報処理システム。
【請求項２】
接続する周辺装置を選択可能であることを特徴とする請求項１記載の情報処理システム。
【請求項３】
該ＡＰＩ制御手段は、アプリケーションソフトの起動時に、周辺装置との接続確立のためのコマンドを通信プロトコル実行部に発行することを有することを特徴とする請求項１又は２記載の情報処理システム。
【請求項４】
該ＡＰＩ制御手段は、アプリケーションソフトの終了時に、周辺装置との接続切断のためのコマンドを通信プロトコル実行部に発行する
とを有することを特徴とする請求項１又は２記載の情報処理システム。
【請求項５】
該周辺装置は画像入出力機器であり、通信確立後に該ＡＰＩ制御手段は画像取得のためのコマンドを当該画像入出力機器に発行する
ことを特徴とする請求項１〜４の何れかに記載の情報処理システム。
【請求項６】
該周辺装置は印刷出力機器であり、通信確立後に該ＡＰＩ制御手段は印刷のためのコマンドを当該印刷出力機器に発行することを特徴とする請求項１〜５の何れかに記載の情報処理システム。
【請求項７】
情報処理装置は、ローカル記憶手段を有し、オフライン動作時に該ＡＰＩ制御手段はアプリケーションソフトの動作のためのコマンドを当該ローカル記憶手段に発行することを特徴とする請求項１〜６の何れかに記載の情報処理システム。
【請求項８】
前記入力装置は、前記情報処理装置に無線媒体を介して接続されることを特徴とする請求項１〜７の何れかに記載の情報処理システム。
【請求項９】
前記入力装置は、前記情報処理装置にＢｌｕｅｔｏｏｔｈを介して接続されることを特徴とする請求項８記載の情報処理システム。
【請求項１０】
前記入力装置は、前記情報処理装置にＩＥＥＥ規格に準拠した無線媒体を介して接続されることを特徴とする請求項８記載の情報処理システム。
【請求項１１】
前記入力装置は、前記情報処理装置に有線媒体を介して接続されることを特徴とする請求項１〜７の何れかに記載の情報処理システム。
【請求項１２】
前記入力装置は、前記情報処理装置にＬＡＮを介して接続されることを特徴とする請求項１１記載の情報処理システム。
【発明の詳細な説明】
【０００１】
【発明の属する技術分野】
本発明は、デジタルカメラやプリンタ等の周辺装置を複数接続可能なパーソナルコンピュータ等の情報処理装置から構成される情報処理システムに関し、特に、周辺装置を情報処理装置にワイヤレス接続する場合に好適な情報処理システムに関する。
【０００２】
【従来の技術】
近年、パーソナルコンピュータ等の情報処理装置において、電波を用いてデジタルカメラやプリンタ等の周辺機器をパーソナルコンピュータにワイヤレス接続する無線データ通信手段が登場している。
【０００３】
これらの無線データ通信手段は、専用のアプリケーションソフトウエアにより無線接続を行うものが一般的である。即ち、デジタルカメラとパーソナルコンピュータを無線接続して、パーソナルコンピュータからデジタルカメラの画像を閲覧する場合に、画像ブラウザ等のアプリケーションソフトを起動する前に、或は、該ソフトの起動後に画像取得の操作を行う前に、予め無線接続用アプリケーションソフトにより接続を完了させておく必要がある。
【０００４】
又、上記従来例の煩雑性を改善した例として、（１）デジタルカメラをＵＳＢなどにより有線で接続した場合に、画像ブラウザを立ち上げると、デジタルカメラとの通信ソフトが自動起動し、デジタルカメラと自動接続されて画像を取得する、或は、（２）インターネットブラウザを立ち上げると、モデム接続ソフトが自動的に起動して、ネットワーク上のサーバに接続される、という例がある。
【０００５】
しかしながら、上記の改善例では、（１）では通信相手がケーブルで物理的に接続した機器に特定され、（２）では、通信相手が、ＩＳＰ（Ｉｎｔｅｒｎｅｔ  ＳｅｒｖｉｃｅＰｒｏｖｉｄｅｒ）のアクセスポイント上のサーバに特定され、汎用性に欠ける問題がある。
【０００６】
又、アプリケーションソフトの起動により、接続ソフトを自動起動するようにすると、オフライン（ローカル）動作を行いたい場合において、意図しない接続を引き起こす欠点がある。
【０００７】
【発明が解決しようとする課題】
即ち、上記従来例においては下記のような問題があった。
【０００８】
（１）アプリケーションソフトウエアとは別に、接続のための専用アプリケーションソフトを立ち上げ、接続を完了させておく必要があり、煩雑である。
【０００９】
（２）自動接続に設定しておくと、意図しない接続を引き起こす危険がある。
【００１０】
（３）（２）により、電力消費が増大する。又、公衆回線接続時には意図しない課金が発生してしまう。更に、無線接続時には、電力消費の増大に加えて、不要な電波が送出される。このため、周波数の使用効率の低下により、周囲機器に干渉を及ぼす。
【００１１】
本発明は上述した点に鑑みなされたものであり、簡単な操作で周辺機器と通信を行うことを可能とした情報処理システムを提供することを目的とする。
【００１２】
【課題を解決するための手段】
上記目的を達成するために、本発明は、情報処理装置に複数の周辺装置が接続可能な情報処理システムであって、情報処理装置は、アプリケーション実行手段と、通信プロトコル実行手段と、ＡＰＩ制御手段を有し、該アプリケーション実行手段は、アプリケーションソフトの起動及び終了時にＡＰＩ制御部に要求を通知し、該ＡＰＩ制御手段は、アプリケーション実行手段からの要求を受けると周辺装置との通信のためのコマンドを通信プロトコル実行部に発行し、通信確立後に該ＡＰＩ制御手段はアプリケーションソフトの動作のためのコマンドを当該周辺装置に発行することを特徴とする。
【００１３】
【発明の実施の形態】
以下に本発明の実施の形態を添付図面に基づいて詳細に説明する。
【００１４】
本発明の実施の形態においては、無線媒体がＢｌｕｅｔｏｏｔｈであるワイヤレス通信部を有する情報処理装置の場合を例に挙げて説明する。
【００１５】
図２は本発明の実施の形態に係る情報処理装置の構成を示す概念図である。本発明の実施の形態に係る情報処理システムは、パーソナルコンピュータ１、デジタルカメラ２、プリンタ３を備えている。
【００１６】
上記構成を説明すると、パーソナルコンピュータ１は、後述の図１に示す構成を有するものであり、各種情報処理に用いる。又、ローカル通信機能を備えており、同様のローカル通信機能を有するデジタルカメラ２、プリンタ３との通信が可能である。
【００１７】
尚、本発明で用いるローカル通信機能は、例えば周波数ホッピング方式を用いた無線通信インターフェイス等のデジタル無線通信技術、特にＢｌｕｅｔｏｏｔｈ（以下、ＢＴと表記）を用いることを前提としている。
【００１８】
デジタルカメラ２は、画像の入出力装置として機能するものであり、撮影した画像データをＣＦカード等の記憶手段に保存している。又、ローカル通信機能により、撮影した画像データをパーソナルコンピュータ１へ転送する機能を有する。
【００１９】
プリンタ３は、パーソナルコンピュータ１から文書や画像を印刷する時の出力装置であり、ローカル通信機能によりパーソナルコンピュータ１からの印刷データを受信する機能を有する。
【００２０】
本実施の形態では、画像入出力装置としてデジタルカメラを想定しているが、画像入出力装置はデジタルカメラに限らず、画像データをデジタルデータとして一時保存又は保存する手段と、保存された画像データを出力する手段を有する、例えば画像サーバ機能を持つＰＤＡ（Ｐｅｒｓｏｎａｌ  Ｄｉｇｉｔａｌ  Ａｓｓｉｓｔａｎｔ）等にも適用することができる。
【００２１】
図１は本発明の実施の形態に係る情報処理システムのパーソナルコンピュータの構成を示すブロック図である。
【００２２】
本発明の実施の形態に係るパーソナルコンピュータは、アンテナ１０１、ＲＦ部１０２、ベースバンド部１０３を有する無線送受信部１０４（送信手段、受信手段）と、ＢＴプロトコルスタック実行部１０６、ＡＰＩ（Ａｐｐｌｉｃａｔｉｏｎ  Ｐｒｏｇｒａｍ  Ｉｎｔｅｒｆａｃｅ）制御部１０７、アプリケーション実行部１０８、ユーザインタフェース制御部１０９を有する制御部１０５、表示制御手段と、ユーザインタフェース部１１０装置と、ローカル記憶手段１１１とを備えている。
【００２３】
上記構成を詳述すると、アンテナ１０１は、電波を送受信する。ＲＦ部１０２は、ＰＬＬ、ガウシアン・フィルタ、増幅器等から構成されており、ＧＦＳＫ変復調及び２．４ＧＨｚへの／からのアップ／ダウン・コンバートを行う。ベースバンド部１０３は、同期保持、フレームの分解／組立、誤り検出処理及びスクランブル処理を行う。又、ＢＴのプロトコルスタックにおけるＲＦレイヤからＬＭＰレイヤまでは、ファームウエアとしてベースバンド部１０３に内蔵される。これらは、周波数ホッピングによるスペクトラム拡散通信を実現する無線送受信部１０４を構成する。
【００２４】
制御部１０５は、パーソナルコンピュータ無線通信端末各部の制御を行うものであり、ＢＴのプロトコルスタックにおけるＬ２ＣＡＰレイヤからＲＦＣＯＭＭ／ＳＤＰレイヤまでの通信プロトコル処理を、Ｂｌｕｅｔｏｏｔｈ  Ｓｐｅｃｉｆｉｃａｔｉｏｎに規定された手順に従って行うＢＴプロトコルスタック実行部１０６と、ＡＰＩ制御部１０７と、アプリケーション実行部１０８と、ユーザインタフェース部１１０の制御を行うユーザインタフェース制御部１０９とから構成される。
【００２５】
ＡＰＩ制御部１０７は、ＢＴプロトコルスタック実行部１０６を実際に動作させるための各種コマンド及びデジタルカメラ２、プリンタ３をリモート動作させるための各種コマンドを発行する。
【００２６】
アプリケーション実行部１０８は、アプリケーションソフトウエアの実行、例えば、画像の閲覧や編集を行う画像アプリケーション、或は文書の作成、印刷を行うワープロ等のアプリケーションを実行する。
【００２７】
ユーザインタフェース部１１０は、キーボード等の入力手段及びＣＲＴディスプレイ等の図示略出力表示手段より構成される。
【００２８】
ローカル記憶手段１１１は、本パーソナルコンピュータ１の動作のためのシステムファイルや各種の画像ファイル、文書ファイルを記憶しており、ハードディスクドライブ、メモリ等より構成される。
【００２９】
＜実施の形態１＞
次に、上記のように構成された本発明の実施の形態に係る情報処理システムの動作について図１〜図８を参照しながら詳細に説明する。
【００３０】
先ず、デジタルカメラ２が有する画像をパーソナルコンピュータ１から閲覧する場合について、図５のフローチャートに従い動作の流れを説明する。
【００３１】
図１において、パーソナルコンピュータ１のユーザがユーザｉ／ｆ１１０により画像閲覧用アプリケーションソフトの起動操作をする（Ｓ４０１）。すると、ユーザｉ／ｆ制御部１０９がこれを検知してアプリケーション実行部１０８へ通知する。アプリケーション実行部１０８は、当該アプリケーションソフトを起動する（Ｓ４０２）。同時にユーザｉ／ｆ制御部１０９を介し、ユーザｉ／ｆ１１０に、図３の３０１に示す接続先の選択画面の表示を行う（Ｓ４０３）。通信可能な相手として、デジタルカメラ２、プリンタ３が表示される。又、外部機器と接続しないでオフライン動作をするメニューも表示される。デジタルカメラ２、プリンタ３は、後述する通信可能端末検索の結果として表示されている。
【００３２】
ここで、接続先にデジタルカメラ２を選択すると（Ｓ４０４）、ユーザｉ／ｆ１１０〜ユーザｉ／ｆ制御部１０９〜アプリケーション実行部１０８の経路でその情報が通知され、ＡＰＩ制御部１０７に接続要求が通知される（Ｓ４０５）。そして、ＡＰＩ制御部１０７は、ＢＴプロトコルスタック実行部１０６に対し、接続コマンドを発行する（Ｓ４０６）。
【００３３】
ＢＴプロトコルスタック実行部１０６は、デジタルカメラ２のＢＤ？ＡＤＤＲ（Ｂｌｕｅｔｏｏｔｈ  Ｄｅｖｉｃｅ  ＡＤＤＲｅｓｓ）ＢＤ・ＡＤＤＲを元にアクセスコードを生成する。そして、図７のパケットフォーマットのアクセスコード領域にマッピングして、接続要求信号（ＰＡＧＥ）を作成する（Ｓ４０７）。この接続要求信号を無線送受信部１０４を介してデジタルカメラ２に送信する（Ｓ４０８）。
【００３４】
デジタルカメラ２では、この接続要求信号の受信を確認すると、これに対するレスポンスとして接続要求応答信号（ＰＡＧＥ  ＲＥＳＰＯＮＳＥ）をパーソナルコンピュータ１に送信する（Ｓ４０９）。
【００３５】
パーソナルコンピュータ１では、無線送受信部１０４を介して制御部１０５がこの接続要求応答信号の受信を確認すると、両者のリンク接続が完了し、通信状態となる（Ｓ４１０）。
【００３６】
次に、パーソナルコンピュータ１では、ユーザがユーザｉ／ｆ１１０により、サムネール（見出し用小画像）取得の操作を行う（Ｓ４１１）。ユーザｉ／ｆ制御部１０９がこれを検知してアプリケーション実行部１０８へ通知する。するとアプリケーション実行部１０８は、ＡＰＩ制御部１０７に対し、サムネール取得要求を通知する（Ｓ４１２）。ＡＰＩ制御部１０７は、これを認識して、デジタルカメラ２に対してのコマンド「サムネール取得」を発行する（Ｓ４１３）。サムネール取得コマンドは、ＢＴの無線リンクを経由してデジタルカメラ２へ転送される（Ｓ４１４）。即ち、ＢＴプロトコルスタック実行部１０６〜無線送受信部１０４の経路でデジタルカメラ２へ送信される。
【００３７】
デジタルカメラ２では、サムネール取得コマンドを受信すると、ＣＦカードに保存されている画像データのサムネールを順次取り出して、ＢＴの無線リンクを経由してパーソナルコンピュータ１へ転送する（Ｓ４１５）。
【００３８】
尚、このように外部からのコマンドにより、自らが持つサムネール或は主画像を外部へ転送する機能は、近年のデジタルカメラが一般的に有する機能である。
【００３９】
パーソナルコンピュータ１では、無線送受信部１０４〜ＢＴプロトコルスタック実行部１０６〜ＡＰＩ制御部１０７を介してアプリケーション実行部１０８が上記のサムネールを受け取る。アプリケーション実行部１０８は、受け取ったサムネールをユーザｉ／ｆ制御部１０９を介してユーザｉ／ｆ１１０の当該アプリケーションソフト上の画面に表示する（Ｓ４１６）。
【００４０】
このときのユーザｉ／ｆ１１０における画面表示を図３の３０２に示す。図示のようにデジタルカメラ２から取得したサムネールが一覧表示される。
【００４１】
次に、ユーザが、一覧表示されたサムネールの中で主画像を取得したいものをユーザｉ／ｆ１１０により選択すると（Ｓ４１７）、ユーザｉ／ｆ制御部１０９がこれを検知してアプリケーション実行部１０８へ通知する。すると、アプリケーション実行部１０８は、ＡＰＩ制御部１０７に対し、主画像取得要求を通知する（Ｓ４１８）。ＡＰＩ制御部１０７は、これを認識して、デジタルカメラ２に対してのコマンド「主画像取得」を発行する（Ｓ４１９）。主画像取得コマンドは、ＢＴの無線リンクを経由してデジタルカメラ２へ転送される（Ｓ４２０）。即ち、ＢＴプロトコルスタック実行部１０６〜無線送受信部１０４の経路でデジタルカメラ２へ送信される。
【００４２】
デジタルカメラ２では、主画像取得コマンドを受信すると、ＣＦカードに保存されている当該画像データを取り出して、ＢＴの無線リンクを経由してパーソナルコンピュータ１へ転送する（Ｓ４２１）。
【００４３】
パーソナルコンピュータ１では、無線送受信部１０４〜ＢＴプロトコルスタック実行部１０６〜ＡＰＩ制御部１０７を介してアプリケーション実行部１０８が上記の主画像を受け取る。アプリケーション実行部１０８は、受け取った主画像をユーザｉ／ｆ制御部１０９を介してユーザｉ／ｆ１１０の当該アプリケーションソフト上の画面に表示する（Ｓ４２２）。
【００４４】
このときのユーザｉ／ｆ１１０における画面表示を図３の３０３に示す。
【００４５】
次に、ユーザが当該アプリケーションソフトを終了するべく、ユーザｉ／ｆ１１０により操作を行うと（Ｓ４２３）、ユーザｉ／ｆ制御部１０９がこれを検知してアプリケーション実行部１０８へ通知する。アプリケーション実行部１０８は、ユーザｉ／ｆ制御部１０９を介して、ユーザｉ／ｆ１１０に、図３の３０４に示す切断機器選択の画面表示を行う（Ｓ４２４）。
【００４６】
ここで、切断機器にデジタルカメラ２を選択すると（Ｓ４２５）、ユーザｉ／ｆ１１０〜ユーザｉ／ｆ制御部１０９〜アプリケーション実行部１０８の経路でその情報が通知され、アプリケーション実行部１０８は、ＡＰＩ制御部１０７に切断要求を通知する（Ｓ４２６）。ＡＰＩ制御部１０７は、ＢＴプロトコルスタック実行部１０６に対し、切断コマンドを発行する（Ｓ４２７）。すると、ＢＴプロトコルスタック実行部１０６は、切断要求信号（ＤＩＳＣＯＮＮＥＣＴ）を無線送受信部１０４を介してデジタルカメラ２へ送信する（Ｓ４２８）。
【００４７】
デジタルカメラ２は、切断要求信号を受信すると、切断要求応答信号（ＤＩＳＣＯＮＮＥＣＴ  ＲＥＳＰＯＮＳＥ）をパーソナルコンピュータ１へ送信すると同時に通信を終了する（Ｓ４２９）。パーソナルコンピュータ１は、切断要求応答信号を受信すると、通信を終了し、両者の無線リンクが切断される（Ｓ４３０）。
【００４８】
通信が終了すると、パーソナルコンピュータ１の無線送受信部１０４及びデジタルカメラ２は、無線プロトコルに従ってスタンバイ状態となる。
【００４９】
以上のようにして、アプリケーションソフトを起動すると、接続先の選択画面が表示され、選択の後に無線リンクが接続される。そして、選択した機器と無線リンクを介してデータの送受信が行われる。又、アプリケーションソフトを終了すると、切断する機器の選択画面が表示され、選択の後に無線リンクが切断される。
【００５０】
本実施の形態では、アプリケーションソフト起動時に無線接続の可否／機器選択及び無線接続を行っているが、アプリケーションソフト起動後に所定の操作をしたとき、例えば、サムネール取得の操作時（Ｓ４１１）に上記を行っても同様の効果を有する。
【００５１】
＜実施の形態２＞
次に、図２の情報処理システムにおいて、パーソナルコンピュータ１からプリンタ３へ印刷を行うときの動作の流れを図６のフローチャートに基づいて説明する。
【００５２】
図１において、パーソナルコンピュータ１のユーザがユーザｉ／ｆ１１０により文書作成用アプリケーションソフトの起動操作をする（Ｓ５０１）。すると、ユーザｉ／ｆ制御部１０９がこれを検知してアプリケーション実行部１０８へ通知する。アプリケーション実行部１０８は、当該アプリケーションソフトを起動する（Ｓ５０２）。同時にユーザｉ／ｆ制御部１０９を介して、ユーザｉ／ｆ１１０に、図３の３０１に示す接続先の選択画面の表示を行う（Ｓ５０３）。通信可能な相手として、デジタルカメラ２とプリンタ３が表示される。又、外部機器と接続しないでオフライン動作をするメニューも表示される。デジタルカメラ２とプリンタ３は、後述する通信可能端末検索の結果として表示されている。
【００５３】
ここで、接続先にプリンタ３を選択すると（Ｓ５０４）、ユーザｉ／ｆ１１０〜ユーザｉ／ｆ制御部１０９〜アプリケーション実行部１０８の経路でその情報が通知され、ＡＰＩ制御部１０７に接続要求が通知される（Ｓ５０５）。そして、ＡＰＩ制御部１０７は、ＢＴプロトコルスタック実行部１０６に対して接続コマンドを発行する（Ｓ５０６）。
【００５４】
ＢＴプロトコルスタック実行部１０６は、プリンタ３のＢＤ？ＡＤＤＲ（Ｂｌｕｅｔｏｏｔｈ  Ｄｅｖｉｃｅ  ＡＤＤＲｅｓｓ）ＢＤ・ＡＤＤＲを元にアクセスコードを生成する。そして、図６のパケットフォーマットのアクセスコード領域にマッピングして、接続要求信号（ＰＡＧＥ）を作成する（Ｓ５０７）。この接続要求信号を無線送受信部１０４を介してプリンタ３に送信する（Ｓ５０８）。
【００５５】
プリンタ３では、この接続要求信号の受信を確認すると、これに対するレスポンスとして接続要求応答信号（ＰＡＧＥ  ＲＥＳＰＯＮＳＥ）をパーソナルコンピュータ１に送信する（Ｓ５０９）。
【００５６】
パーソナルコンピュータ１では、無線送受信部１０４を介して制御部１０５がこの接続要求応答信号の受信を確認すると、両者のリンク接続が完了し、通信状態となる（Ｓ５１０）。
【００５７】
次に、パーソナルコンピュータ１では、ユーザがユーザｉ／ｆ１１０により、文書印刷の操作を行う（Ｓ５１１）。ユーザｉ／ｆ制御部１０９がこれを検知してアプリケーション実行部１０８へ通知する。すると、アプリケーション実行部１０８は、ＡＰＩ制御部１０７に対して印刷要求を通知する（Ｓ５１２）。ＡＰＩ制御部１０７は、これを認識して、プリンタ３に対してのコマンド「印刷」を発行する（Ｓ５１３）。印刷コマンドは、ＢＴの無線リンクを経由してプリンタ３へ転送される（Ｓ５１４）。即ち、ＢＴプロトコルスタック実行部１０６〜無線送受信部１０４の経路でプリンタ３へ送信される。
【００５８】
プリンタ３では、印刷コマンドを受信すると、印刷ヘッドのウエイクアップ等の準備処理の後に、印刷データの受信待ちとなる。その後、印刷データがパーソナルコンピュータ１からプリンタ３へ転送され、印刷が実行される（Ｓ５１５）。
【００５９】
パーソナルコンピュータ１からプリンタ３への印刷データの転送が終了すると（Ｓ５１６）、パーソナルコンピュータ１のアプリケーション実行部１０８は、ユーザｉ／ｆ制御部１０９を介してユーザｉ／ｆ１１０に図４の３０５の表示を行い、プリンタ３との接続の切断の可否をユーザに問い合わせる（Ｓ５１７）。
【００６０】
切断するならば、後述するＳ５２２以降の処理を実行する。切断しないならば、引き続き当該アプリケーションソフトを実行する（Ｓ５１８）。
【００６１】
次に、ユーザが、当該アプリケーションソフトを終了するべく、ユーザｉ／ｆ１１０により操作を行うと（Ｓ５１９）、ユーザｉ／ｆ制御部１０９がこれを検知してアプリケーション実行部１０８へ通知する。アプリケーション実行部１０８は、ユーザｉ／ｆ制御部１０９を介して、ユーザｉ／ｆ１１０に、図４の３０６に示す切断機器選択の画面表示を行う（Ｓ５２０）。
【００６２】
ここで、切断機器にプリンタ３を選択すると（Ｓ５２１）、ユーザｉ／ｆ１１０〜ユーザｉ／ｆ制御部１０９〜アプリケーション実行部１０８の経路でその情報が通知され、アプリケーション実行部１０８は、ＡＰＩ制御部１０７に切断要求を通知する（Ｓ５２２）。ＡＰＩ制御部１０７は、ＢＴプロトコルスタック実行部１０６に対し、切断コマンドを発行する（Ｓ５２３）。すると、ＢＴプロトコルスタック実行部１０６は、切断要求信号（ＤＩＳＣＯＮＮＥＣＴ）を無線送受信部１０４を介してプリンタ３へ送信する（Ｓ５２４）。
【００６３】
プリンタ３は、切断要求信号を受信すると、切断要求応答信号（ＤＩＳＣＯＮＮ  ＥＣＴ  ＲＥＳＰＯＮＳＥ）をパーソナルコンピュータ１へ送信すると同時に通信を終了する（Ｓ５２５）。パーソナルコンピュータ１は、切断要求応答信号を受信すると通信を終了し、両者の無線リンクが切断される（Ｓ５２６）。
【００６４】
通信が終了すると、パーソナルコンピュータ１の無線送受信部１０４及びプリンタ３は、無線プロトコルに従ってスタンバイ状態となる。
【００６５】
以上のようにして、アプリケーションソフトを起動すると、接続先の選択画面が表示され、選択の後に無線リンクが接続される。そして、選択した機器と無線リンクを介してデータの送受信が行われる。データ送受信（印刷）が終了すると切断の可否の選択画面が表示され、選択の後に無線リンクが切断される。
【００６６】
又、アプリケーションソフトを終了すると、切断する機器の選択画面が表示され、選択の後に無線リンクが切断される。
【００６７】
本実施の形態では、アプリケーションソフト起動時に無線接続の可否／機器選択及び無線接続を行っているが、アプリケーションソフト起動後に所定の操作をしたとき、例えば、文書印刷の操作時（Ｓ５１１）に上記を行っても同様の効果を有する。
【００６８】
＜実施の形態３＞
次に、図２の情報処理システムにおいて、デジタルカメラ２が有する画像をパーソナルコンピュータ１から閲覧し、更に当該画像をプリンタ３から印刷する場合について、図７のフローチャートに従い動作の流れを説明する。
【００６９】
図１において、パーソナルコンピュータ１のユーザがユーザｉ／ｆ１１０により画像閲覧用アプリケーションソフトの起動操作をする（Ｓ６０１）。すると、ユーザｉ／ｆ制御部１０９がこれを検知してアプリケーション実行部１０８へ通知する。アプリケーション実行部１０８は、当該アプリケーションソフトを起動する（Ｓ６０２）。同時にユーザｉ／ｆ制御部１０９を介して、ユーザｉ／ｆ１１０に、図３の３０１に示す接続先の選択画面の表示を行う（Ｓ６０３）。通信可能な相手として、デジタルカメラ２とプリンタ３が表示される。又、外部機器と接続しないでオフライン動作をするメニューも表示される。デジタルカメラ２とプリンタ３は、後述する通信可能端末検索の結果として表示されている。
【００７０】
ここで、接続先にデジタルカメラ２及びプリンタ３を選択すると（Ｓ６０４）、ユーザｉ／ｆ１１０〜ユーザｉ／ｆ制御部１０９〜アプリケーション実行部１０８の経路でその情報が通知され、ＡＰＩ制御部１０７に接続要求が通知される（Ｓ６０５）。そして、ＡＰＩ制御部１０７は、ＢＴプロトコルスタック実行部１０６に対し、接続コマンドを発行する（Ｓ６０６）。
【００７１】
ＢＴプロトコルスタック実行部１０６は、デジタルカメラ２及びプリンタ３のＢＤ？ＡＤＤＲ（Ｂｌｕｅｔｏｏｔｈ  Ｄｅｖｉｃｅ  ＡＤＤＲｅｓｓ）ＢＤ・ＡＤＤＲを元に各々のアクセスコードを生成する。そして、図７のパケットフォーマットのアクセスコード領域にマッピングして、接続要求信号（ＰＡＧＥ）を作成する（Ｓ６０７）。この接続要求信号を無線送受信部１０４を介してデジタルカメラ２及びプリンタ３に送信する（Ｓ６０８）。
【００７２】
デジタルカメラ２及びプリンタ３では、この接続要求信号の受信を確認すると、これに対するレスポンスとして接続要求応答信号（ＰＡＧＥ  ＲＥＳＰＯＮＳＥ）をパーソナルコンピュータ１に送信する（Ｓ６０９）。
【００７３】
パーソナルコンピュータ１では、無線送受信部１０４を介して制御部１０５がこの接続要求応答信号の受信を確認すると、パーソナルコンピュータ１とデジタルカメラ２のリンク接続及びパーソナルコンピュータ１とプリンタ３のリンク接続が完了し、各々が通信状態となる（Ｓ６１０）。即ち、図２において、パーソナルコンピュータ１をマスターとして、デジタルカメラ２、プリンタ３の三者がピコネットを形成する。
【００７４】
次に、パーソナルコンピュータ１では、ユーザがユーザｉ／ｆ１１０により、サムネール（見出し用小画像）取得の操作を行う（Ｓ６１１）。ユーザｉ／ｆ制御部１０９がこれを検知してアプリケーション実行部１０８へ通知する。するとアプリケーション実行部１０８は、ＡＰＩ制御部１０７に対し、サムネール取得要求を通知する（Ｓ６１２）。ＡＰＩ制御部１０７は、これを認識して、デジタルカメラ２に対してのコマンド「サムネール取得」を発行する（Ｓ６１３）。サムネール取得コマンドは、ＢＴの無線リンクを経由してデジタルカメラ２へ転送される（Ｓ６１４）。即ち、ＢＴプロトコルスタック実行部１０６〜無線送受信部１０４の経路でデジタルカメラ２へ送信される。
【００７５】
デジタルカメラ２では、サムネール取得コマンドを受信すると、ＣＦカードに保存されている画像データのサムネールを順次取り出して、ＢＴの無線リンクを経由してパーソナルコンピュータ１へ転送する（Ｓ６１５）。
【００７６】
尚、このように外部からのコマンドにより、自らが持つサムネール或は主画像を外部へ転送する機能は、近年のデジタルカメラが一般的に有する機能である。
【００７７】
パーソナルコンピュータ１では、無線送受信部１０４〜ＢＴプロトコルスタック実行部１０６〜ＡＰＩ制御部１０７を介してアプリケーション実行部１０８が上記のサムネールを受け取る。アプリケーション実行部１０８は、受け取ったサムネールをユーザｉ／ｆ制御部１０９を介してユーザｉ／ｆ１１０の当該アプリケーションソフト上の画面に表示する（Ｓ６１６）。
【００７８】
このときのユーザｉ／ｆ１１０における画面表示を図３の３０２に示す。図示のようにデジタルカメラ２から取得したサムネールが一覧表示される。
【００７９】
次に、ユーザが、一覧表示されたサムネールの中で主画像を取得したいものをユーザｉ／ｆ１１０により選択すると（Ｓ６１７）、ユーザｉ／ｆ制御部１０９がこれを検知してアプリケーション実行部１０８へ通知する。すると、アプリケーション実行部１０８は、ＡＰＩ制御部１０７に対し、主画像取得要求を通知する（Ｓ６１８）。ＡＰＩ制御部１０７は、これを認識して、デジタルカメラ２に対してのコマンド「主画像取得」を発行する（Ｓ６１９）。主画像取得コマンドは、ＢＴの無線リンクを経由してデジタルカメラ２へ転送される（Ｓ６２０）。即ち、ＢＴプロトコルスタック実行部１０６〜無線送受信部１０４の経路でデジタルカメラ２へ送信される。
【００８０】
デジタルカメラ２では、主画像取得コマンドを受信すると、ＣＦカードに保存されている当該画像データを取り出して、ＢＴの無線リンクを経由してパーソナルコンピュータ１へ転送する（Ｓ６２１）。
【００８１】
パーソナルコンピュータ１では、無線送受信部１０４〜ＢＴプロトコルスタック実行部１０６〜ＡＰＩ制御部１０７を介してアプリケーション実行部１０８が上記の主画像を受け取る。アプリケーション実行部１０８は、受け取った主画像をユーザｉ／ｆ制御部１０９を介してユーザｉ／ｆ１１０の当該アプリケーションソフト上の画面に表示する（Ｓ６２２）。このときのユーザｉ／ｆ１１０における画面表示を図３の３０３に示す。
【００８２】
次に、パーソナルコンピュータ１では、ユーザがユーザｉ／ｆ１１０により、文書印刷の操作を行う（Ｓ６２３）。ユーザｉ／ｆ制御部１０９がこれを検知してアプリケーション実行部１０８へ通知する。すると、アプリケーション実行部１０８は、ＡＰＩ制御部１０７に対し、印刷要求を通知する（Ｓ６２４）。ＡＰＩ制御部１０７は、これを認識して、プリンタ３に対してのコマンド「印刷」を発行する（Ｓ６２５）。印刷コマンドは、ＢＴの無線リンクを経由してプリンタ３へ転送される（Ｓ６２６）。即ち、ＢＴプロトコルスタック実行部１０６〜無線送受信部１０４の経路でプリンタ３へ送信される。
【００８３】
プリンタ３では、印刷コマンドを受信すると、印刷ヘッドのウエイクアップ等の準備処理の後に、印刷データの受信待ちとなる。その後、印刷データがパーソナルコンピュータ１からプリンタ３へ転送され、印刷が実行される（Ｓ６２７）。
【００８４】
パーソナルコンピュータ１からプリンタ３への印刷データの転送が終了すると（Ｓ６２８）、パーソナルコンピュータ１のアプリケーション実行部１０８は、ユーザｉ／ｆ制御部１０９を介してユーザｉ／ｆ１１０に図４の３０５の表示を行い、プリンタ３との接続の切断の可否をユーザに問い合わせる（Ｓ６２９）。
【００８５】
切断するならば、後述するＳ６３４以降の処理を実行する。切断しないならば、引き続き当該アプリケーションソフトを実行する（Ｓ６３０）。
【００８６】
次に、ユーザが、当該アプリケーションソフトを終了するべく、ユーザｉ／ｆ１１０により操作を行うと（Ｓ６３１）、ユーザｉ／ｆ制御部１０９がこれを検知してアプリケーション実行部１０８へ通知する。アプリケーション実行部１０８は、ユーザｉ／ｆ制御部１０９を介し、ユーザｉ／ｆ１１０に、図４の３０７に示す切断機器選択の画面表示を行う（Ｓ６３２）。
【００８７】
ここで、切断機器としてデジタルカメラ２及びプリンタ３を選択すると（Ｓ６３３）、ユーザｉ／ｆ１１０〜ユーザｉ／ｆ制御部１０９〜アプリケーション実行部１０８の経路でその情報が通知され、アプリケーション実行部１０８は、ＡＰＩ制御部１０７に切断要求を通知する（Ｓ６３４）。ＡＰＩ制御部１０７はＢＴプロトコルスタック実行部１０６に対し、切断コマンドを発行する（Ｓ６３５）。すると、ＢＴプロトコルスタック実行部１０６は、切断要求信号（ＤＩＳＣＯＮＮＥＣＴ）を無線送受信部１０４を介してデジタルカメラ２及びプリンタ３へ送信する（Ｓ６３６）。
【００８８】
デジタルカメラ２及びプリンタ３は、切断要求信号を受信すると、切断要求応答信号（ＤＩＳＣＯＮＮＥＣＴ  ＲＥＳＰＯＮＳＥ）をパーソナルコンピュータ１へ送信すると同時に通信を終了する（Ｓ６３７）。パーソナルコンピュータ１は、切断要求応答信号を受信すると、通信を終了し、各々の無線リンクが切断される（Ｓ６３８）。
【００８９】
通信が終了すると、パーソナルコンピュータ１の無線送受信部１０４及びデジタルカメラ２、プリンタ３は、無線プロトコルに従ってスタンバイ状態となる。
【００９０】
以上のようにして、アプリケーションソフトを起動すると、接続先の選択画面が表示され、選択の後に無線リンクが接続される。そして、選択した機器と無線リンクを介してデータの送受信が行われる。データ送受信（印刷）が終了すると、切断の可否の選択画面が表示され、選択の後に無線リンクが切断される。
【００９１】
又、アプリケーションソフトを終了すると、切断する機器の選択画面が表示され、選択の後に無線リンクが切断される。
【００９２】
本実施の形態では、アプリケーションソフト起動時に無線接続の可否／機器選択および無線接続を行っているが、アプリケーションソフト起動後に所定の操作をしたとき、例えば、サムネール取得の操作時（Ｓ４１１）にデジタルカメラ２との無線接続の可否選択を行い、文書印刷の操作時（Ｓ６２３）にプリンタ３との無線接続の可否選択を行っても同様の効果を有する。
【００９３】
＜他の実施の形態＞
上記実施形態では、デジタルカメラ２、プリンタ３は、既知の通信可能端末としたが、接続要求信号を出す前に端末検索信号（ＩＮＱＵＩＲＹ）を発行することで、デジタルカメラ２、プリンタ３のＢＤ＿ＡＤＤＲを取得し、通信可能端末として登録することができる。
【００９４】
以下、図８のフローチャートに従って動作の流れを説明する。
【００９５】
図１において、パーソナルコンピュータ１のユーザが、ユーザｉ／ｆ１１０により画像閲覧用アプリケーションソフトの起動操作をする（Ｓ７０１）。するとユーザｉ／ｆ制御部１０９がこれを検知してアプリケーション実行部１０８へ通知する。アプリケーション実行部１０８は、当該アプリケーションソフトを起動する（Ｓ７０２）。同時にアプリケーション実行部１０８は、図示しない通信可能端末記憶手段を参照して（Ｓ７０３）、通信可能端末の登録の有無を確認する（Ｓ７０４）。登録があれば、端末検索の必要がないので、Ｓ４０３或はＳ５０３或はＳ６０３以降の処理を実行する。登録がないならば、ＡＰＩ制御部１０７に端末検索要求が通知される（Ｓ７０５）。そして、ＡＰＩ制御部１０７は、ＢＴプロトコルスタック実行部１０６に対し、端末検索コマンドを発行する（Ｓ７０６）。
【００９６】
ＢＴプロトコルスタック実行部１０６は、所定のＧＩＡＣ（Ｇｅｎｅｒａｌ  Ｉｎｑｕｉｒｙ  Ａｃｃｅｓｓ  Ｃｏｄｅ  ）によるアクセスコードを生成し、図９のパケットフォーマットのアクセスコード領域にマッピングして、端末検索信号（ＩＮＱＵＩＲＹ）を作成する（Ｓ７０７）。該端末検索信号は、通信範囲内に存在する他のＢｌｕｅｔｏｏｔｈ端末を検出するために用いられる。この端末検索信号を無線送受信部１０４を介して、周囲の不特定の端末に向けて送信する（Ｓ７０８）。
【００９７】
デジタルカメラ２、プリンタ３は、これに対するレスポンスとして、自己のＢＤ＿ＡＤＤＲを内包した端末検索応答信号（ＩＮＱＵＩＲＹ  ＲＥＳＰＯＮＳＥ）を、各々パーソナルコンピュータ１に送信する（Ｓ７０９）。端末検索応答信号を受信したパーソナルコンピュータ１は、デジタルカメラ２、プリンタ３を、そのＢＤ＿ＡＤＤＲと共に通信可能端末として登録する（Ｓ７１０）。一旦登録したならば、次回からは上記の端末検索は省略可能である。
【００９８】
その後は、Ｓ４０３又はＳ５０３或はＳ６０３以降の無線接続処理が実行される。
【００９９】
前記実施の形態では、外部機器であるデジタルカメラ２、プリンタ３と接続してアプリケーションソフトウエアを実行したが、図３の３０１の画面表示にあるように、オフライン状態（ローカル動作）でもアプリケーションソフトウエアを実行することができる。
【０１００】
以下、図９のフローチャートに従って動作の流れを説明する。
【０１０１】
図１において、パーソナルコンピュータ１のユーザが、ユーザｉ／ｆ１１０により画像閲覧用アプリケーションソフトの起動操作をする（Ｓ８０１）。するとユーザｉ／ｆ制御部１０９がこれを検知してアプリケーション実行部１０８へ通知する。アプリケーション実行部１０８は、当該アプリケーションソフトを起動する（Ｓ８０２）。同時にユーザｉ／ｆ制御部１０９を介し、ユーザｉ／ｆ１１０に、図３の３０１に示す接続先の選択画面の表示を行う（Ｓ８０３）。通信可能な相手として、デジタルカメラ２、プリンタ３が表示される。又、外部機器と接続せずにオフライン動作をするメニューも表示される。デジタルカメラ２、プリンタ３は、後述する通信可能端末検索の結果として表示されている。
【０１０２】
ここで、接続先にオフラインを選択すると（Ｓ８０４）、ユーザｉ／ｆ１１０〜ユーザｉ／ｆ制御部１０９〜アプリケーション実行部１０８の経路でその情報が通知され、ＡＰＩ制御部１０７にオフライン動作要求が通知され、オフライン状態でアプリケーションソフトが実行される（Ｓ８０５）。この場合は、閲覧可能な画像はパーソナルコンピュータ１自身が有するデータになる。
【０１０３】
次に、ユーザがユーザｉ／ｆ１１０により、サムネール（見出し用小画像）取得の操作を行う（Ｓ８０６）。ユーザｉ／ｆ制御部１０９がこれを検知してアプリケーション実行部１０８へ通知する。すると、アプリケーション実行部１０８は、ＡＰＩ制御部１０７に対し、サムネール取得要求を通知する（Ｓ８０７）。ＡＰＩ制御部１０７は、これを認識して、ローカル記憶手段１１１に対してのコマンド「サムネール取得」を発行する（Ｓ８０８）。サムネール取得コマンドは、パーソナルコンピュータ１の内部バスを経由してローカル記憶手段１１１へ転送される（Ｓ８０９）。
【０１０４】
ローカル記憶手段１１１では、サムネール取得コマンドを受信すると、保存されている画像データのサムネールを順次取り出して、内部バスを経由してＡＰＩ制御部１０７へ転送する（Ｓ８１０）。
【０１０５】
その後、アプリケーション実行部１０８がＡＰＩ制御部１０７を介して上記のサムネールを受け取る。アプリケーション実行部１０８は、受け取ったサムネールをユーザｉ／ｆ制御部１０９を介してユーザｉ／ｆ１１０の当該アプリケーションソフト上の画面に表示する（Ｓ８１１）。このときのユーザｉ／ｆ１１０における画面表示を図３の３０２に示す。図示のように、パーソナルコンピュータ１自らの指定した領域から取得したサムネールが一覧表示される。
【０１０６】
次に、ユーザが、一覧表示されたサムネールの中で主画像を取得したいものをユーザｉ／ｆ１１０により選択すると（Ｓ８１２）、ユーザｉ／ｆ制御部１０９がこれを検知してアプリケーション実行部１０８へ通知する。すると、アプリケーション実行部１０８は、ＡＰＩ制御部１０７に対し、主画像取得要求を通知する（Ｓ８１３）。ＡＰＩ制御部１０７は、これを認識して、ローカル記憶手段１１１に対してのコマンド「主画像取得」を発行する（Ｓ８１４）。主画像取得コマンドは、内部バスを経由してローカル記憶手段１１１へ転送される（Ｓ８１５）。ローカル記憶手段１１１では、主画像取得コマンドを受信すると、指定領域に保存されている当該画像データを取り出して、内部バスを経由してＡＰＩ制御部１０７へ転送する（Ｓ８１６）。
【０１０７】
その後、アプリケーション実行部１０８がＡＰＩ制御部１０７を介して上記の主画像を受け取る。アプリケーション実行部１０８は、受け取った主画像をユーザｉ／ｆ制御部１０９を介してユーザｉ／ｆ１１０の当該アプリケーションソフト上の画面に表示する（Ｓ８１７）。このときのユーザｉ／ｆ１１０における画面表示を図３の３０３に示す。
【０１０８】
次に、ユーザが当該アプリケーションソフトを終了するべく、ユーザｉ／ｆ１１０により操作を行うと（Ｓ８１８）、ユーザｉ／ｆ制御部１０９がこれを検知してアプリケーション実行部１０８へ通知する。アプリケーション実行部１０８は、当該アプリケーションソフトを終了させる（Ｓ８１９）。
【０１０９】
以上のようにして、オフライン状態でアプリケーションソフトウエアが実行される。
【０１１０】
又、前記実施の形態では、無線媒体をＢｌｕｅｔｏｏｔｈとした例であるが、他の無線媒体、例えばＩＥＥＥ（Ｉｎｓｔｉｔｕｔｅ  ｏｆ  Ｅｌｅｃｔｒｉｃａｌ
ａｎｄ  Ｅｌｅｃｔｒｏｎｉｃ  Ｅｎｇｉｎｅｅｒｓ）８０２．１１ｂを用いても前記実施形態と同様の効果が得られる。更に、無線媒体ではなく、有線媒体、例えばＥｉｔｈｅｒ  Ｎｅｔ（米国ゼロックス、ＤＥＣ、インテル三社が共同開発したバス構造のＬＡＮ）等のＬＡＮを用いても前記実施の形態と同様の効果が得られる。
【０１１１】
尚、本発明は、複数の機器から構成されるシステムに適用しても、１つの機器から成る装置に適用しても良い。上述した実施形態の機能を実現するソフトウエアのプログラムコードを記憶した記憶媒体をシステム或は装置に供給し、そのシステム或は装置のコンピュータ（又はＣＰＵやＭＰＵ）が記憶媒体に格納されたプログラムコードを読み出し実行することによっても、達成されることは言うまでもない。
【０１１２】
この場合、記憶媒体から読み出されたプログラムコード自体が上述した実施形態の機能を実現することになり、そのプログラムコードを記憶した記憶媒体は本発明を構成することになる。プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭ、或はネットワークを介したダウンロード等を用いることができる。
【０１１３】
又、コンピュータが読み出したプログラムコードを実行することにより、上述した実施の形態の機能が実現されるだけでなく、そのプログラムコードの指示に基づき、コンピュータ上で稼動しているＯＳ等が実際の処理の一部又は全部を行い、その処理によって上述した実施形態の機能が実現される場合も含まれることは言うまでもない。
【０１１４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【０１１５】
【発明の効果】
以上説明したように、本発明の構成により、下記のような効果を奏する。
【０１１６】
（１）無線接続専用のアプリケーションソフトウエアの起動、操作が不要であり、該ソフトウエアのインストール作業も不要である。
【０１１７】
（２）所望のアプリケーションソフトウエアを起動するだけで無線接続が可能となる。
【０１１８】
（３）接続する機器を選択可能であり、複数の機器を同時に接続できる。
【０１１９】
（４）意図しない接続を回避できる。このため、電力消費の削減が図れる。
【０１２０】
（５）上記（４）において、無線通信の場合は、電力消費の低減に加えて、周波数の有効利用が図れる。即ち、周波数の使用効率の増大により、不要な電波の送信が抑えられ、周囲の干渉を低減できる。
【図面の簡単な説明】
【図１】本発明の実施の形態に係る情報処理システムのパーソナルコンピュータの構成を示すブロック図である。
【図２】本発明の実施の形態に係る情報処理システムのパーソナルコンピュータと周辺機器の接続の構成を示すブロック図である。
【図３】本発明の実施の形態に係る情報処理システムのパーソナルコンピュータの画面表示例を示す説明図である。
【図４】本発明の実施の形態に係る情報処理システムのパーソナルコンピュータの画面表示例を示す説明図である。
【図５】本発明の実施の形態に係る情報処理システムの動作を示すフローチャートである。
【図６】本発明の実施の形態に係る情報処理システムの動作を示すフローチャートである。
【図７】本発明の実施の形態に係る情報処理システムの動作を示すフローチャートである。
【図８】本発明の実施の形態に係る情報処理システムの動作を示すフローチャートである。
【図９】本発明の実施の形態に係る情報処理システムの動作を示すフローチャートである。
【図１０】本発明の実施の形態に係る情報処理システムにおけるパケットフォーマットの構成を示す説明図である。
【図１１】本発明の入力装置指定方法を実行するプログラム及び関連データが記憶媒体から装置に供給される概念例を示す説明図である。
【符号の説明】
１      パーソナルコンピュータ
２      デジタルカメラ
３      プリンタ
１０４    無線送受信部
１０５    制御部
１０６    ＢＴプロトコルスタック実行部
１０７    ＡＰＩ制御部
１０８    アプリケーション実行部
１０９    ユーザインタフェース制御部
１１０    ユーザインタフェース部
１１１    ローカル記憶手段
【図１】
2004157851.tif 000003
【図２】
2004157851.tif 000004
【図３】
2004157851.tif 000005
【図４】
2004157851.tif 000006
【図５】
2004157851.tif 000007
【図６】
2004157851.tif 000008
【図７】
2004157851.tif 000009
【図８】
2004157851.tif 000010
【図９】
2004157851.tif 000011
【図１０】
2004157851.tif 000012
【図１１】
2004157851.tif 000013